(57)【特許請求の範囲】
【請求項１】
屋外と室内を連通し、前記室内の壁面に貫通される通風路内に収納される筒部と、前記筒部に対して円周方向に方形に広がった本体フランジ部と、前記筒部内と連通し前記室内側に配設されたルーバーと、前記筒部内と連通する位置に設けられるフィルターと、前記フィルターを仮固定する爪を前記本体フランジ部に備え、前記ルーバーの通風路側に突起形状を設け、前記突起形状を前記フィルターの領域内に存在させるものであって、前記突起形状を、通風路の中心に向かって低くなるように傾斜していることを特徴とする換気装置。
【請求項２】
屋外と室内を連通し、前記室内の壁面に貫通される通風路内に収納される筒部と、前記筒部に対して円周方向に方形に広がった本体フランジ部と、前記筒部内と連通し前記室内側に配設されたルーバーと、前記筒部内と連通する位置に設けられるフィルターと、前記フィルターを仮固定する爪を前記本体フランジ部に備え、前記ルーバーの通風路側に突起形状を設け、前記突起形状を前記フィルターの領域内に存在させ、前記突起形状を、前記筒部に対して重ならない構成とするものであって、前記突起形状を、通風路の中心に向かって低くなるように傾斜していることを特徴とする換気装置。
【請求項３】
突起形状を、通風路に対する投影面積が極力小さくなる形状とすることを特徴とする請求項１または２に記載の換気装置。
【請求項４】
本体フランジ部に、フィルターと同形状で前記フィルターの厚みと同じ深さのくぼみを設け、前記くぼみに前記フィルターを設置し、突起形状と前記くぼみの最深部の隙間を前記フィルターの厚みとほぼ一致していることを特徴とする請求項１〜３のいずれかに記載の換気装置。
【発明の詳細な説明】
【技術分野】
【０００１】
本発明は、フィルターを備え、屋外と室内を連通する通風路の室内側に設けられる換気装置に関する。
【背景技術】
【０００２】
従来、この種の換気装置の一例として、図８および図９に示すものが知れられている（例えば、特許文献１参照）。
【０００３】
以下、その構成について図８および図９を参照しながら説明する。
【０００４】
図８に示すように、屋外と屋内を連通し、室内の壁面に貫通される通風路内に収納される筒部１０１と、筒部１０１内と連通し室内側に配設されたルーバー１０２と、筒部１０１内と連通する位置に設けられるフィルター１０３を備え、また、図９に示すように、フィルター１０３はフレーム１０４と一体成形されているフィルター受け１０５と、フィルター押さえ１０６により固定され、フィルター押さえ１０６は外周に設けられた嵌合部によって、フレーム１０４に固定される構成としていた。
【先行技術文献】
【特許文献】
【０００５】
【特許文献１】特開２００６−９７９６１号公報
【発明の概要】
【発明が解決しようとする課題】
【０００６】
このような従来の換気装置においては、フィルターを強固に固定すると使用者が着脱しにくいが、固定が弱いと、屋外から通風路内に外風が進入した際に、風の強さによっては集塵用フィルターが外れてしまうという課題を有していた。
【０００７】
そこで本発明は、上記従来の課題を解決するものであり、屋外から通風路内に外風が進入しても、フィルターが外れなく、かつ、フィルターが本体に着脱しやすくすることができる換気装置を提供することを目的とする。
【課題を解決するための手段】
【０００８】
そして、この目的を達成するために、本発明は、屋外と室内を連通し、前記室内の壁面に貫通される通風路内に収納される筒部と、前記筒部に対して円周方向に方形に広がった本体フランジ部と、前記筒部内と連通し前記室内側に配設されたルーバーと、前記筒部内と連通する位置に設けられるフィルターと、前記フィルターを仮固定する爪を前記本体フランジ部に備えた換気装置である。前記ルーバーの通風路側に突起形状を設け、前記突起形状を前記フィルターの領域内に存在させるものであり、これにより初記の目的を達成するものである。
【発明の効果】
【０００９】
本発明によれば、屋外と室内を連通し、前記室内の壁面に貫通される通風路内に収納される筒部と、前記筒部に対して円周方向に方形に広がった本体フランジ部と、前記筒部内と連通し前記室内側に配設されたルーバーと、前記筒部内と連通する位置に設けられるフィルターと、前記フィルターを仮固定する爪を前記本体フランジ部に備えた換気装置であって、前記ルーバーの通風路側に突起形状を設け、前記突起形状を前記フィルターの領域内に存在させるという構成にしたことにより、屋外から通風路内に外風が進入しても、フィルターが外れなく、外風が進入した際にも外風に含まれる粉塵を確実に集塵することができ、かつ、フィルターが本体に着脱しやすくすることができ、お手入れ性が向上する、という効果を得ることができる。
【図面の簡単な説明】
【００１０】
【図１】本発明の実施の形態１の換気装置を示す構成図
【図２】同換気装置のルーバー、フィルター、本体フランジ部の着脱状態を示す斜視図
【図３】同換気装置のルーバーと本体フランジ部の取付状態を示す斜視図
【図４】同換気装置のルーバーと本体フランジ部の取付状態を示す正面図
【図５】同換気装置の突起形状と本体フランジ部のくぼみの状態を示す構成図
【図６】同換気装置の突起形状と本体フランジ部のくぼみの状態を示す構成図
【図７】同換気装置の突起形状とくぼみからフィルターが浮いた状態を示す構成図
【図８】従来の換気装置を示す断面図
【図９】同換気装置を示す正面図
【発明を実施するための形態】
【００１１】
本発明の換気装置は、屋外と室内を連通し、前記室内の壁面に貫通される通風路内に収納される筒部と、前記筒部に対して円周方向に方形に広がった本体フランジ部と、前記筒部内と連通し前記室内側に配設されたルーバーと、前記筒部内と連通する位置に設けられるフィルターと、前記フィルターを仮固定する爪を前記本体フランジ部に備えた換気装置であって、前記ルーバーの通風路側に突起形状を設け、前記突起形状を前記フィルターの領域内に存在させるという構成を有する。これにより、外風が吹いても、フィルターが室内側へ膨らんでずれないように抑えることとなるので、屋外から通風路内に外風が進入しても、フィルターが外れなく、それにより、外風に含まれる粉塵を確実に集塵することができ、かつ、フィルターが本体に着脱しやすくすることができ、お手入れ性が向上するという効果を奏する。
【００１２】
また、突起形状を、筒部に対して重ならない構成にしてもよい。これにより、通風抵抗を悪化させることがないこととなるので、換気装置の性能を悪化させないという効果を奏する。
【００１３】
また、突起形状を、通風路の中心に向かって低くなるように傾斜しているという構成にしてもよい。これにより、ルーバーを本体に取り付ける際に、フィルターがどのような状態になっていても、確実にフィルターを抑えることとなるので、ルーバーを取り付ける際、フィルターが、浮き上がった状態になっていても、確実にフィルターを抑えることができ、確実に外気の粉塵を集塵することができるという効果を奏する。
【００１４】
また、突起形状を、通風路に対する投影面積が極力小さくなる形状とするという構成にしてもよい。これにより、通風抵抗を悪化させることがないので、換気装置の性能を悪化させることがないという効果を奏する。
【００１５】
また、本体フランジ部に、フィルターと同形状で前記フィルターの厚みと同じ深さのくぼみを設け、前記くぼみに前記フィルターを設置し、突起形状と前記くぼみの最深部の隙間を前記フィルターの厚みとほぼ一致しているという構成にしてもよい。これにより、フィルターを変形させずに固定することとなるので、フィルターが変形することでの通気抵抗の悪化を発生させることなく、確実にフィルターを抑えることができるという効果を奏する。
【００１６】
以下、本発明の実施の形態について、図１〜図６を参照しながら説明する。
【００１７】
（実施の形態１）
図１および図２に示すように、屋外と室内を連通し、前記室内の壁面に貫通される通風路２内に収納される筒部３と、前記筒部３前方に室内側に臨むフレーム開口４を有し、前記筒部３に対して円周方向に方形に広がった本体フランジ部５と、前記筒部３内と連通し、前記室内側に配設されたルーバー７と、前記筒部３内と連通する位置に設けられ、フレーム開口４の室内側に設けられるフィルター６と、前記フィルター６を前記本体フランジ部５に仮固定する爪１０を前記本体フランジ部５に備えた換気装置であって、前記ルーバー７の通風路２側に突起形状８を設け、前記突起形状８を前記フィルター６の領域内に存在させる構成とする。
【００１８】
また、ルーバー７は図３および図４に示すように、上部のルーバー引掛部１１と、本体フランジ部５に設けられたルーバー保持部１２によって引っ掛けられ、保持されるとともに、前記ルーバー７の上部に設けられた上部係止部１４と、下部に設けられた下部係止部１６を、前記本体フランジ部５の上部に設けられた上部係合部１３と、下部に設けられた下部係合部１５にそれぞれ係合させることで、前記本体フランジ部５に取り付けられる。
【００１９】
また、図５に示すように、突起形状８を、筒部３に対して、通風路２から見て、重ならない構成とし、ルーバー７の上部から通風路２の中心に向かうにつれて、突起台１８からの屋外方向への高さが低くなるように傾斜している構成とする。また、通風路２に対する投影面積が極力小さくなる形状とする構成とする。
【００２０】
また、図２および図５に示すように、本体フランジ部５に、フィルター６と同形状で前記フィルター６の厚みと同じ深さを持つくぼみ９を設け、前記くぼみ９の室内側の上方左右両側に前記爪１０を設け、前記くぼみ９にフィルター６を設置し、突起形状８の突起先端１７と前記くぼみ９の底部との隙間を前記フィルター６の厚みとほぼ一致している構成とする。
【００２１】
上記構成において、屋外から通風路２内に外風が進入しても、突起形状８がフィルター６の領域内の室内側に存在することによって、突起形状８がフィルター６を抑えつけることで、通風路２内に進入した外風によって、フィルター６が室内側へ膨らんでずれないようにすることとなる。
【００２２】
よって、屋外から通風路２内に外風が進入しても、フィルター６が本体フランジ部５から外れなくなることとなり、前記フィルター６が確実に外気に含まれる粉塵を集塵することができることとなる。
【００２３】
かつ、ルーバー７を本体フランジ部５から取り外せば、フィルター６は爪１０によって本体フランジ部５に仮固定されている状態になり、フィルター６を本体フランジ部５に着脱しやすくすることができることとなる。
【００２４】
よって、フィルター６の掃除などの際に、ルーバー７を取り外せば、フィルター６を容易に本体フランジ部５から着脱できることとなり、お手入れ性の向上を図ることが出来る。
【００２５】
また、上記構成において、突起形状８が筒部３上に位置せずにフィルター６を抑えているため、フィルターを抑えながらも、通風抵抗を悪化させることがない。
【００２６】
よって、フィルターを抑えながらも、換気装置の性能を悪化させないこととなる。
【００２７】
また、上記構成により、ルーバー７を本体フランジ部５に取り付ける際に、ルーバー７のルーバー引掛部１１と、本体フランジ部５のルーバー保持部１２を係合させなければ、取り付けることができない。突起形状８が図６に示す突起形状９ａのような形状をしていた場合、図７に示すように、フィルター６がくぼみ９から浮いていると、ルーバー７を本体フランジ部５に取り付ける際に、フィルター６を変形させ、抑えることができなくなることとなるが、図５に示すような形状であれば、フィルターがくぼみ９から浮いた状態になっていても、確実にフィルター６を抑えることができる。
【００２８】
よって、ルーバー７を本体フランジ部５に取り付ける際、フィルター６が、どのような状態になっていても、確実に前記フィルター６を抑えることができ、確実に外気に含まれる粉塵を集塵することができることとなる。
【００２９】
また、上記構成により、突起形状８の形状が通風路２への投影面積が極力小さくなる形となっているため、通風抵抗を悪化させることがなく、また、ルーバー７を取り付けた際に、フィルター６の内部に突起形状８が侵入することがないため、フィルター６を変形させずに固定することができ、フィルター６が変形することによる通風抵抗の悪化が発生することがない。
【００３０】
よって、換気装置の性能を悪化させないこととなる。
【産業上の利用可能性】
【００３１】
本発明にかかる換気装置は、屋外から通風路内に外風が進入しても、フィルターが本体に着脱しやすく、かつフィルターが外れなくすることを可能とするものであるので、室内壁側に設けられフィルターを必要とする換気端末口、ファンを有する換気扇、空調空気吹出口等として有用である。
【符号の説明】
【００３２】
２  通風路
３  筒部
４  フレーム開口
５  本体フランジ部
６  フィルター
７  ルーバー
８  突起形状
９  くぼみ
【図１】
0005531771.tif 000002
【図２】
0005531771.tif 000003
【図３】
0005531771.tif 000004
【図４】
0005531771.tif 000005
【図５】
0005531771.tif 000006
【図６】
0005531771.tif 000007
【図７】
0005531771.tif 000008
【図８】
0005531771.tif 000009
【図９】
0005531771.tif 000010